(57)【要約】【課題】直線の開口規制縁を有する複数枚の絞り板を一つのモータによって各々異なる方向へ作動させるようにした小型で低コストなプロジェクタ用絞り装置を提供すること。【解決手段】二つの地板４１，４２の間に、Ｌ字形をした２枚の絞り板４４，４５が配置されている。地板４２に取り付けられた作動部材４３は、モータ４７によって往復回転させられ、ピン４３ｃ，４３ｅによって、絞り板４４，４５を、開口部４１ａ（４２ａ）の対角線に沿って往復作動させ、開口規制縁４４ｄ，４４ｅ，４５ｄ，４５ｅによって、照明光路用開口の大きさを変化させ得るように構成されている。【選択図】  図６
2004302108.tif 000002
【特許請求の範囲】
【請求項１】
各々が略同じ大きさの方形をした光路用の開口部を有していて所定の間隔を空けて相互に取付けられている二つの地板と、各々が少なくとも一つの直線の開口規制縁を有していて少なくとも１枚が前記二つの地板の間に配置されており各々が同時に異なる方向へ作動させられたときそれらの規制縁によって前記開口部よりも面積の小さな方形の光路用開口を形成する複数枚の絞り板と、第１腕部と第２腕部とを有していて前記開口部の一辺の近傍位置で前記二つの地板の一方に回転可能に取付けられており該腕部の各々が前記複数枚の絞り板の少なくとも１枚を直接連結している作動部材と、前記二つの地板の一方に取付けられていて少なくとも前記作動部材を往復作動させることにより前記複数枚の絞り板に往復作動を行わせる一つのモータと、を備えていることを特徴とするプロジェクタ用絞り装置。
【請求項２】
前記複数枚の絞り板が各々前記光路用開口の各一辺を規制する開口規制縁を有した４枚の絞り板であり、前記作動部材が第１作動部材であって、そのほかに、第１腕部と第２腕部とを有していて前記二つの地板の一方に回転可能に取付けられており前記第１作動部材の回転に連動してその第１腕部を操作され前記第１作動部材とは同じ方向へ回転させられる第２作動部材を備えており、前記第１作動部材は、その第１腕部の略中間位置で第１絞り板を連結し、その第１腕部の略先端位置で第２絞り板を連結し、その第２腕部で第１絞り板の規制辺とは対向する辺を規制する第３絞り板を連結しており、前記第２作動部材は、その第２腕部で第２絞り板の規制辺とは対向する辺を規制する第４絞り板を連結していることを特徴とする請求項１に記載のプロジェクタ用絞り装置。
【請求項３】
前記第２作動部材が、前記第１作動部材とで前記開口部を挟む位置に取付けられていて、前記第１作動部材の第１腕部と前記第２作動部材の第１腕部とが、リンク部材を介して連結されていることを特徴とする請求項２に記載のプロジェクタ用絞り装置。
【請求項４】
前記第２作動部材が、前記第１作動部材の回転に連動してその第１腕部を操作され前記第１作動部材とは逆方向へ回転させられるようにしたことを特徴とする請求項２に記載のプロジェクタ用絞り装置。
【請求項５】
前記複数枚の絞り板が、各々前記光路用開口の各一辺を規制する開口規制縁を有した４枚の絞り板であり、前記作動部材が、第１腕部と第２腕部とを有していて、その第１腕部で第１絞り板に連結され、その第２腕部で第１絞り板の規制辺とは対向する辺を規制する第３絞り板に連結された第１作動部材であって、そのほかに、前記二つの地板の一方に回転可能に取付けられ第１腕部と第２腕部とを有した第２作動部材を備えていて、該第２作動部材は、その第１腕部で第２絞り板に連結され、その第２腕部で第２絞り板の規制辺とは対向する辺を規制する第４絞り板に連結されており、前記モータは、前記第２絞り板と第４絞り板の何れか一方を前記第１作動部材と並行して往復作動させるようにしたことを特徴とする請求項１に記載のプロジェクタ用絞り装置。
【請求項６】
前記複数枚の絞り板が、各々前記光路用開口の隣接する二つの辺を規制する開口規制縁を有した第１絞り板と第２絞り板であり、前記作動部材が、第１腕部と第２腕部とを有していて、第１腕部を第１絞り板に連結し、第２腕部を第２絞り板に連結していることを特徴とする請求項１に記載のプロジェクタ用絞り装置。
【請求項７】
前記作動部材には歯部が形成されていて、該歯部が、前記モータによって回転させられる歯車に噛合していることを特徴とする請求項６に記載のプロジェクタ用絞り装置。
【発明の詳細な説明】
【０００１】
【発明の属する技術分野】
本発明は、プロジェクタ用絞り装置に関する。
【０００２】
【従来の技術】
液晶プロジェクタなどの各種プロジェクタには、投影する室内の明るさに対応させて光源からの照明光量を変化させたり、何も投影していないときには一時的に照明光量を弱くしたりするために、その照明光量を調整できるようにしたものがある。そして、それらの場合、光源自体の発光光量を変化させるのではなく、光源の近傍位置に絞り装置を配置しておき、その光路用開口の面積を変化させるようにしたものが多い。また、投影光学系を変倍光学系としたオーバーヘッドプロジェクタにおいては、高倍率時における投影画像を好適に得るために、原稿を載せるステージと光源との間に絞り装置を配置しておき、投影光学系の変倍動作に連動して、その光路用開口の面積を変化させるようにしたものが知られている（特許文献１参照）。
【０００３】
そして、それらの目的のためにプロジェクタ内に配置される絞り装置は、いずれの場合も、液晶パネル，ＤＭＤ（デジタルマイクロミラーデバイス），フィルムなどの画像媒体と光源との間に配置されることから、投影光学系の鏡胴に組み付けられる絞り装置のように、略円形を保ちながら光路面積が変化する構成とはせず、光路用開口が常に方形のままで、その光路面積を変化させ得る構成としているのが普通である。本発明は、各種のプロジェクタに用いることの可能なこの種の絞り装置に関するものである。
【０００４】
【特許文献１】
特開平８−２２７１０２号公報（第２，３頁、図１，３，４）
【０００５】
【発明が解決しようとする課題】
上記の絞り装置のように、光路面積を、常に方形の光路用開口が得られるように変化させるためには、直線の開口規制縁を有する絞り羽根（以下、絞り板という）を少なくとも２枚備え、それらの絞り板を、全て異なる方向へ作動させるように構成する必要がある。そのため、上記の特許文献１に記載の絞り装置（以下、従来例という）においても、各々二つの開口規制縁を有するＬ字状の２枚の絞り板（絞り枠４４Ａ，４４Ｂ）を設けていて、それらを、地板（台座４０）に開口された長方形の開口部（窓４２）の対角線に沿って、相対的に作動させるようにしている。
【０００６】
ところで、上記の従来例においては、２枚の絞り板を別々のモータで作動させている。つまり、この考えによれば、絞り板を３枚設ける構成にした場合は、モータが３個必要なことになる。しかしながら、モータの数を絞り板の数だけ用意するということは、低コスト化の点で極めて問題である。また、オーバーヘッドプロジェクタのような大型のプロジェクタの場合には比較的問題が小さいが、それでも、モータを複数個必要とすることは、プロジェクタ内での配置に制約を受けることになり、特に液晶プロジェクタやＤＭＤを用いたプロジェクタのように携帯性を要求されるプロジェクタの場合には、小型化や軽量化の点でも極めて問題である。
【０００７】
本発明は、このような問題点を解決するためになされたものであり、その目的とするところは、直線の開口規制縁を少なくとも一つ有している複数枚の絞り板が、光路用として地板に形成されている方形の開口部内に進退可能であり、該開口部内に進入したとき、該開口部と略相似形の光路用開口を形成することの可能な絞り装置であって、上記の複数枚の絞り板を一つのモータによって各々異なる方向へ作動させるようにした小型で低コストなプロジェクタ用絞り装置を提供することである。
【０００８】
【課題を解決するための手段】
上記の目的を達成するために、本発明のプロジェクタ用絞り装置は、各々が略同じ大きさの方形をした光路用の開口部を有していて所定の間隔を空けて相互に取付けられている二つの地板と、各々が少なくとも一つの直線の開口規制縁を有していて少なくとも１枚が前記二つの地板の間に配置されており各々が同時に異なる方向へ作動させられたときそれらの規制縁によって前記開口部よりも面積の小さな方形の光路用開口を形成する複数枚の絞り板と、第１腕部と第２腕部とを有していて前記開口部の一辺の近傍位置で前記二つの地板の一方に回転可能に取付けられており該腕部の各々が前記複数枚の絞り板の少なくとも１枚を直接連結している作動部材と、前記二つの地板の一方に取付けられていて少なくとも前記作動部材を往復作動させることにより前記複数枚の絞り板に往復作動を行わせる一つのモータと、を備えている。
【０００９】
また、そのような本発明のプロジェクタ用絞り装置において、前記複数枚の絞り板が各々前記光路用開口の各一辺を規制する開口規制縁を有した４枚の絞り板であり、前記作動部材が第１作動部材であって、そのほかに、第１腕部と第２腕部とを有していて前記二つの地板の一方に回転可能に取付けられており前記第１作動部材の回転に連動してその第１腕部を操作され前記第１作動部材とは同じ方向へ回転させられる第２作動部材を備えており、前記第１作動部材は、その第１腕部の略中間位置で第１絞り板を連結し、その第１腕部の略先端位置で第２絞り板を連結し、その第２腕部で第１絞り板の規制辺とは対向する辺を規制する第３絞り板を連結しており、前記第２作動部材は、その第２腕部で第２絞り板の規制辺とは対向する辺を規制する第４絞り板を連結しているようにしてもよい。
【００１０】
その場合、前記第２作動部材が、前記第１作動部材とで前記開口部を挟む位置に取付けられていて、前記第１作動部材の第１腕部と前記第２作動部材の第１腕部とが、リンク部材を介して連結されているようにしてもよいし、前記第２作動部材が、前記第１作動部材の回転に連動してその第１腕部を操作され前記第１作動部材とは逆方向へ回転させられるように構成することもできる。
【００１１】
また、上記のような本発明のプロジェクタ用絞り装置において、前記複数枚の絞り板が、各々前記光路用開口の各一辺を規制する開口規制縁を有した４枚の絞り板であり、前記作動部材が、第１腕部と第２腕部とを有していて、その第１腕部で第１絞り板に連結され、その第２腕部で第１絞り板の規制辺とは対向する辺を規制する第３絞り板に連結された第１作動部材であって、そのほかに、前記二つの地板の一方に回転可能に取付けられ第１腕部と第２腕部とを有した第２作動部材を備えていて、該第２作動部材は、その第１腕部で第２絞り板に連結され、その第２腕部で第２絞り板の規制辺とは対向する辺を規制する第４絞り板に連結されており、前記モータは、前記第２絞り板と第４絞り板の何れか一方を前記第１作動部材と並行して往復作動させるようにしてもよい。
【００１２】
更に、上記のような本発明のプロジェクタ用絞り装置において、前記複数枚の絞り板が、各々前記光路用開口の隣接する二つの辺を規制する開口規制縁を有した第１絞り板と第２絞り板であり、前記作動部材が、第１腕部と第２腕部とを有していて、第１腕部を第１絞り板に連結し、第２腕部を第２絞り板に連結しているようにしてもよい。そして、その場合、前記作動部材には歯部が形成されていて、該歯部が、前記モータによって回転させられる歯車に噛合しているようにすると、好適な構成になる。
【００１３】
【発明の実施の形態】
本発明の実施の形態を、図示した三つの実施例によって説明する。尚、図１及び図２は第１実施例の正面図であって、図１は光路用開口の全開状態を示したものであり、図２は光路用開口の絞り込み状態を示したものである。また、図３及び図４は第２実施例の正面図であって、図３は光路用開口の全開状態を示したものであり、図４は光路用開口の絞り込み状態を示したものである。更に、図５及び図６は第３実施例の正面図であって、図５は光路用開口の全開状態を示したものであり、図６は光路用開口の絞り込み状態を示したものである。
【００１４】
［第１実施例］
先ず、本実施例の構成を説明する。本実施例の第１地板１は、長方形をした光路用の開口部１ａを有している。また、第１地板１よりも平面面積の小さな第２地板２（図１においては、右上方の一部を除去して示してある）は、第１地板１との間に所定の間隔を空け、適宜な手段によって第１地板１に取り付けられている。また、第２地板２にも長方形をした光路用の開口部２ａが形成されており、その開口部２ａが第１地板１の開口部１ａと重なるように配置されている。本実施例の場合、二つの開口部１ａ，２ａは、全く同じ大きさをしているが、異なっていても差し支えなく、そのようにした場合には、小さい方の開口部が、最大の光路用開口を規制することになる。
【００１５】
第２地板２の第１地板１側の面には、開口部２ａの下辺近傍位置に軸２ｂが設けられ、上辺近傍位置に軸２ｃが設けられている。そして、その軸２ｂには、第１腕部３ａと第２腕部３ｂとを有する第１作動部材３が回転可能に取り付けられており、また、軸２ｃには、第１腕部４ａと第２腕部４ｂとを有する第２作動部材４が回転可能に取り付けられている。また、リンク部材５は、その一端に設けられた孔に第１作動部材３の第１腕部３ａに設けられたピン３ｃを嵌合させ、他端に設けられた長孔に第２作動部材４の第１腕部４ａに設けられたピン４ｃを嵌合させて、第１作動部材３が往復回転すると、それに連動して、第２作動部材４も同じ方向へ回転するようにしている。
【００１６】
第１地板１には、円弧状の長孔１ｂ，１ｃ，１ｄ，１ｅが形成され、第２地板２には、直線状の長孔２ｄ，２ｅと円弧状の長孔２ｆ，２ｇとが形成されている。また、第２地板２の表面側には、絞り板６，７が配置されている。そのうち絞り板６は、長孔６ａとピン６ｂを有していて、開口部２ａの下辺と平行になるようにして直線的に形成された上側の端縁６ｃを開口規制縁としている。そして、長孔６ａには、長孔２ｆを貫通した第１作動部材３のピン３ｄを嵌合させており、ピン６ｂを長孔２ｄに嵌合させている。また、絞り板７は、Ｌ字形（図１においては、一部を二点鎖線で示している）をしていて、長孔７ａとピン７ｂを有しており、開口部２ａの上辺と平行になるようにして形成された下側の端縁７ｃを開口規制縁としている。そして、長孔７ａには、長孔２ｇを貫通した第１作動部材３のピン３ｅを嵌合させており、ピン７ｂを長孔２ｅに嵌合させている。
【００１７】
また、第１地板１と第２地板２の間には、二つの作動部材３，４やリンク部材５よりも第１地板１側に、絞り板８，９が配置されている。そのうち絞り板８は、二つのピン８ａ，８ｂを有していて、開口部２ａの左辺と平行になるようにして直線的に形成された右側の端縁８ｃを開口規制縁としており、明示されていない孔には、第１作動部材３の第１腕部３ａに設けられたピン３ｃが嵌合している。そして、ピン８ａ，８ｂを長孔１ｂ，１ｃに嵌合させている。また、絞り板９は、二つのピン９ａ，９ｂを有していて、開口部２ａの右辺と平行になるようにして直線的に形成された左側の端縁９ｃを開口規制縁としており、明示されていない孔には、第２作動部材４の第２腕部４ｂに設けられたピン４ｄが嵌合している。そして、ピン９ａ，９ｂを長孔１ｄ，１ｅに嵌合させている。
【００１８】
第１地板１の下方領域には、所定の間隔を空けるようにして、モータ取付板１０が四つのビスによって取り付けられている。この取付板１０には、往復回転可能なモータ１１が適宜な手段によって取り付けられているが、その出力軸は、第１地板１とモータ取付板１０との間に突き出ていて、その先端に歯車１２が取り付けられている。また、第１地板１とモータ取付板１０には歯車１３，１４が軸受けされている。そのうち、歯車１３は減速用の２段歯車である。また、歯車１４は扇形歯車であって、そのピン１４ａが、第１作動部材３の二股部３ｆに挟持されている。
【００１９】
次に、本実施例の作動を説明する。図１は、開口部１ａ（２ａ）が全開となっていて光路用開口が最大となっている状態を示したものである。この状態において、光源からの照明光量を弱くしたい場合には、モータ１１を反時計方向へ回転させ、歯車１２，１３を介して歯車１４を反時計方向へ回転させる。そのため、第１作動部材３は時計方向へ回転させられ、第２作動部材４もリンク部材５を介して時計方向へ回転させられる。従って、絞り板６は、長孔２ｄに案内されて上方へ移動し、開口規制縁６ｃを開口部１ａ（２ａ）に進入させ、絞り板７は、長孔２ｅに案内されて下方へ移動し、開口規制縁７ｃを開口部１ａ（２ａ）に進入させ、絞り板８は、長孔１ｂ，１ｃに案内されて右上方へ移動し、開口規制縁８ｃを開口部１ａ（２ａ）に進入させ、絞り板９は、長孔１ｄ，１ｅに案内されて左下方へ移動し、開口規制縁９ｃを開口部１ａ（２ａ）に進入させる。
【００２０】
そして、絞り板６，７，８，９の開口規制縁６ｃ，７ｃ，８ｃ，９ｃが、開口部１ａ（２ａ）に最大限進入し、モータ１１を停止させた状態が、図２に示された状態である。このとき、光路用開口は、開口規制縁６ｃ，７ｃ，８ｃ，９ｃによって最小面積に規制されているが、図２の状態になる前にモータ１１を停止させるようにすれば、複数の大きさの光路用開口を選択することができることは言うまでもない。また、図２の状態から図１の状態に復帰させる場合には、モータ１１を時計方向へ回転させればよく、この場合にも、図１の状態に戻る前にモータ１１を停止させるようにすれば、種々の大きさの光路用開口を選択することができる。
【００２１】
このように、本実施例の絞り装置は、４枚の絞り板６，７，８，９をモータ１１で作動させるようにしたので、モータが一つでよいことにより、上記の従来例よりも低コストで小型化が可能になるという利点がある。尚、本実施例の場合には、第２作動部材４が、第１作動部材３とで開口部１ａ（２ａ）を挟む位置に取付けられていて、第２作動部材４の第１腕部４ａと第１作動部材３の第１腕部３ａとが、リンク部材５を介して連結されているが、第２作動部材４を開口部１ａ（２ａ）の右辺の近傍位置に取り付け、第１腕部４ａと第２腕部４ｂの形状を変え、第１腕部４ａを絞り板９に連結させ、第２腕部４ｂを第１作動部材３の第２腕部３ｂに直接連結させれば、本実施例におけるリンク部材５を設けなくても済むようになる。従って、その場合には、第１作動部材３と第２作動部材４の回転方向は逆になる。
【００２２】
［第２実施例］
次に、第２実施例を図３及び図４を用いて説明する。先ず、構成から説明する。本実施例の第１地板２１と第２地板２２（図３においては、左上方の一部を除去して示してある）とは、同じ大きさの長方形をした光路用の開口部２１ａ，２２ａを重ねるようにして、所定の間隔を空け、第２地板２２の四隅で相互に取り付けられている。また、第２地板２２の表面側には、開口部２２ａの下辺近傍位置に軸２２ｂが設けられ、第１地板２１側には、左辺近傍位置に軸２２ｃが設けられていて、夫々、第１作動部材２３と第２作動部材２４が回転可能に取り付けられている。そして、第１作動部材２３は、第１腕部２３ａと、第２腕部２３ｂと、第３腕部２３ｃとを有し、第２作動部材２４は、第１腕部２４ａと、第２腕部２４ｂとを有している。
【００２３】
第１地板２１の第２地板２２側には、ピン２１ｂ，２１ｃ，２１ｄ，２１ｅが設けられ、第２地板２２の表面側にも、ピン２２ｄ，２２ｅ，２２ｆ，２２ｇが設けられている。また、第２地板２２の表面側には、Ｌ字形をした絞り板２５，２６が配置されている。そのうち絞り板２５は、長孔２５ａ，２５ｂ，２５ｃを有していて、開口部２２ａの下辺と平行になるようにして直線的に形成された上側の端縁２５ｄを開口規制縁としている。そして、長孔２５ａ，２５ｂには、上記のピン２２ｄ，２２ｅを嵌合させ、長孔２５ｃには、絞り板２５よりも第２地板２２側に配置された第１作動部材２３のピン２３ｄを嵌合させている。また、絞り板２６もＬ字形（図１においては、一部を二点鎖線で示している）をしていて、長孔２６ａ，２６ｂ，２６ｃを有しており、開口部２２ａの上辺と平行になるようにして直線的に形成された下側の端縁２６ｄを開口規制縁としている。そして、長孔２６ａ，２６ｂには、上記のピン２２ｆ，２２ｇを嵌合させ、長孔２６ｃには、第１作動部材２３のピン２３ｅを嵌合させている。
【００２４】
また、第１地板２１と第２地板２２の間には、Ｌ字形をした絞り板２７，２８が第２作動部材２４よりも第１地板２１側に配置されている。そのうち絞り板２７は、長孔２７ａ，２７ｂ，２７ｃを有していて、開口部２２ａの左辺と平行になるようにして直線的に形成された右側の端縁２７ｄを開口規制縁としている。そして、長孔２７ａ，２７ｂには、第１地板２１のピン２１ｃ，２１ｂを嵌合させ、長孔２７ｃには、第２作動部材２４のピン２４ｃを嵌合させている。また、絞り板２８は、長孔２８ａ，２８ｂ，２８ｃを有しており、開口部２２ａの右辺と平行になるようにして直線的に形成された左側の端縁２８ｄを開口規制縁としている。そして、長孔２８ａ，２８ｂには、第１地板２１のピン２１ｄ，２１ｅを嵌合させ、長孔２８ｃには、第２作動部材２４のピン２４ｄを嵌合させている。
【００２５】
第１地板１の下方領域には、第１実施例と同様にして、モータ取付板２９が四つのビスによって取り付けられている。そして、この取付板２９には、往復回転可能なモータ３０が取り付けられており、第１地板２１とモータ取付板２９の間に突き出た出力軸に、歯車３１が取り付けられている。また、第１地板２１とモータ取付板２９には歯車３２，３３が軸受けされているが、歯車３３には二つのピン３３ａ，３３ｂが設けられており、ピン３３ａは、第１作動部材２３の第３腕部２３ｃに形成されている長孔２３ｆに嵌合し、ピン３３ｂは、絞り板２７の張出部に形成されている長孔２７ｄに嵌合している。
【００２６】
次に、本実施例の作動を説明する。図３は、開口部２１ａ（２２ａ）の全開状態を示したものである。この状態から照明光量を弱くしたい場合には、モータ３０を時計方向へ回転させ、歯車３１，３２を介して歯車３３を時計方向へ回転させる。そのため、ピン３３ａによって第１作動部材２３は時計方向へ回転させられ、同時に、ピン３３ｂによって絞り板２７が右方向へ作動させられる。第１作動部材２３が時計方向へ回転すると、絞り板２５は、ピン２２ｄ，２２ｅに案内されて上方へ移動し、開口規制縁２５ｄを開口部２１ａ（２２ａ）に進入させ、絞り板２６は、ピン２２ｆ，２２ｇに案内されて下方へ移動し、開口規制縁２６ｄを開口部２１ａ（２２ａ）に進入させる。他方、絞り板２７が、ピン２１ｂ，２１ｃに案内されて右方向へ移動すると、第２作動部材２４が反時計方向へ回転するから、絞り板２８はピン２１ｄ，２１ｅに案内されて左方向へ移動する。そのため、絞り板２７，２８は、夫々の開口規制縁２７ｄ，２８ｄを開口部２１ａ（２２ａ）に進入させる。
【００２７】
そして、絞り板２５，２６，２７，２８の開口規制縁２５ｄ，２６ｄ，２７ｄ，２８ｄが、開口部２１ａ（２２ａ）に最大限進入し、モータ３０を停止させた状態が、図４に示された状態である。このとき、光路用開口は、開口規制縁２５ｄ，２６ｄ，２７ｄ，２８ｄによって最小面積に規制されているが、モータ３０を途中で停止させるようにすれば、種々の大きさの光路用開口が得られることは、第１実施例の場合と同じであり、このことは、図４の状態から図３の状態に復帰させる場合も同じである。このように、本実施例の絞り装置も、４枚の絞り板２５，２６，２７，２８を一つのモータ３０で作動させるので、上記の従来例よりも低コストで小型化できるという利点がある。
【００２８】
［第３実施例］
次に、第３実施例を図５及び図６を用いて説明する。先ず、構成から説明する。本実施例の第１地板４１と第２地板４２とは、全く同じ平面形状をしていて、同じ大きさの長方形をした開口部４１ａ，４２ａを重ねるようにして、所定の間隔を空け、４箇所で相互に取り付けられている。また、第２地板４２の表面側には、開口部４２ａの下辺近傍位置に軸４２ｂが設けられていて、そこに、作動部材４３が回転可能に取り付けられている。そして、その作動部材４３は、第１腕部４３ａと、第２腕部４３ｂとを有していて、第１腕部４３ａにはピン４３ｃが設けられ、第２腕部４３ｂには歯車部４３ｄとピン４３ｅが設けられている。
【００２９】
第１地板４１と第２地板４２の間には、Ｌ字形をした２枚の絞り板４４，４５が配置されている。そのうち絞り板４４は、ピン４４ａ，長孔４４ｂ，ピン４４ｃを有していて、開口部４２ａの下辺と平行になるようにして直線的に形成された上側の端縁４４ｄと、開口部４２ａの左辺と平行になるようにして直線的に形成された右側の端縁４４ｅとを開口規制縁としている。そして、ピン４４ａを、第２地板４２の長孔４２ｃに嵌合させ、ピン４４ｃを、第２地板４２の長孔４２ｄに嵌合させ、長孔４４ｂには、第２地板４２の長孔４２ｅを貫通した作動部材４３のピン４３ｃが嵌合している。
【００３０】
また、絞り板４５は、ピン４５ａ，４５ｂと、長孔４５ｃを有していて、開口部４２ａの上辺と平行になるようにして直線的に形成された下側の端縁４５ｄと、開口部４２ａの右辺と平行になるようにして直線的に形成された左側の端縁４５ｅとを開口規制縁としている。そして、ピン４５ａを、第２地板４２の長孔４２ｆに嵌合させ、ピン４５ｂを、第２地板４２の長孔４２ｇに嵌合させ、長孔４５ｃには、第２地板４２の長孔４２ｈを貫通した作動部材４３のピン４３ｅが嵌合している。
【００３１】
第２地板４２の下方領域には、第２地板４２との間に所定の間隔を空け、モータ取付板４６が四つのビスによって取り付けられている。そして、この取付板４６には、往復回転可能なモータ４７が取り付けられており、第２地板４２とモータ取付板４６との間に突き出た出力軸に、歯車４８が取り付けられている。また、第２地板２１とモータ取付板４６には歯車４９が軸受けされているが、この歯車４９は、歯車４８の回転を減速して作動部材４３に伝えるために、作動部材４３の歯車部４３ｄに噛合している。
【００３２】
次に、本実施例の作動を説明する。図５は、開口部４１ａ（４２ａ）の全開状態を示したものである。この状態から照明光量を弱くしたい場合には、モータ４７を時計方向へ回転させ、歯車４８，４９を介して作動部材４３を時計方向へ回転させる。それによって、絞り板４４は、作動部材４３のピン４３ｃによって作動させられ、ピン４４ａ，４４ｃが長孔４２ｃ，４２ｄに案内されて右上方へ移動し、開口規制縁４４ｄ，４４ｅを開口部４１ａ（４２ａ）に進入させる。他方、絞り板４５は、作動部材４３のピン４３ｅによって作動させられ、ピン４５ａ，４５ｂが長孔４２ｆ，４２ｇに案内されて左下方へ移動し、開口規制縁４５ｄ，４５ｅを開口部４１ａ（４２ａ）に進入させる。
【００３３】
そして、絞り板４４，４５の開口規制縁４４ｄ，４４ｅ，４５ｄ，４５ｅが、開口部４１ａ（４２ａ）に最大限進入し、モータ４７を停止させた状態が、図６に示された状態である。このとき、光路用開口は、開口規制縁４４ｄ，４４ｅ，４５ｄ，４５ｅによって最小面積に規制されているが、本実施例の場合も、モータ４７を途中で停止させるようにすれば、種々の大きさの光路用開口が得られるようになる。そして、このことは、図６の状態から図５の状態に復帰させる場合も同じように制御することが可能であることは言うまでもない。
【００３４】
このように、本実施例の絞り装置の場合も、２枚の絞り板４４，４５を一つのモータ４７で作動させるので、上記の従来例よりも低コストで小型化できるという利点がある。尚本実施例においては、作動部材４３に歯車部４３ｄを形成し、それに歯車４９を噛合させているが、第１実施例や第２実施例における第１作動部材３，２３のように、ピンと長孔（二股部３ｆも長孔と同類）の嵌合構成によって、作動部材４３と歯車４９を連結するようにしても差し支えない。また、逆に、第１実施例における第１作動部材３と歯車１４と歯車構成で連結させたり、第２実施例における第１作動部材２３や絞り板２７を歯車３３と歯車構成で連結させても差し支えない。
【００３５】
【発明の効果】
以上のように、本発明は、直線の開口規制縁を少なくとも一つ有していて、方形の光路用開口を規制する複数枚の絞り板を、各々異なる方向へ一つのモータによって作動させるようにしたから、小型で低コストなプロジェクタ用絞り装置が得られるという特徴がある。
【図面の簡単な説明】
【図１】光路用開口の全開状態を示した第１実施例の正面図である。
【図２】光路用開口の絞り込み状態を示した第１実施例の正面図である。
【図３】光路用開口の全開状態を示した第２実施例の正面図である。
【図４】光路用開口の絞り込み状態を示した第２実施例の正面図である。
【図５】光路用開口の全開状態を示した第３実施例の正面図である。
【図６】光路用開口の絞り込み状態を示した第３実施例の正面図である。
【符号の説明】
１，２１，４１                      第１地板
１ａ，２ａ，２１ａ，２２ａ，４１ａ，４２ａ  開口部
１ｂ〜１ｅ，２ｄ〜２ｇ，６ａ，７ａ，２３ｆ，２５ａ〜２５ｃ，
２６ａ〜２６ｃ，２７ａ〜２７ｄ，２８ａ〜２８ｃ，４２ｃ〜４２ｈ，
４４ｂ，４５ｃ  長孔
２，２２                            第２地板
２ｂ，２ｃ，２２ｂ，２２ｃ，４２ｂ  軸
３，２３                            第１作動部材
３ａ，４ａ，２３ａ，２４ａ，４３ａ  第１腕部
３ｂ，４ｂ，２３ｂ，２４ｂ，４３ｂ  第２腕部
３ｃ〜３ｅ，４ｃ，４ｄ，６ｂ，７ｂ，８ａ，８ｂ，９ａ，９ｂ，１４ａ，
２１ｂ〜２１ｅ，２２ｄ〜２２ｇ，２３ｄ，２３ｅ，２４ｃ，２４ｄ，
３３ａ，３３ｂ，４３ｃ，４３ｅ，４４ａ，４４ｃ，４５ａ，４５ｂ  ピン
３ｆ                                二股部
４，２４                            第２作動部材
５                                  リンク部材
６，７，８，９，２５，２６，２７，２８，４４，４５  絞り板
６ｃ，７ｃ，８ｃ，９ｃ，２５ｄ，２６ｄ，２７ｄ，２８ｄ，４４ｄ，
４４ｅ，４５ｄ，４５ｅ  開口規制縁
１０，２９，４６                    モータ取付板
１１，３０，４７                    モータ
１２，１３，１４，３１，３２，３３，４８，４９  歯車
２３ｃ                              第３腕部
４３                                作動部材
４３ｄ                              歯車部
【図１】
2004302108.tif 000003
【図２】
2004302108.tif 000004
【図３】
2004302108.tif 000005
【図４】
2004302108.tif 000006
【図５】
2004302108.tif 000007
【図６】
2004302108.tif 000008